(57)【要約】      （修正有）【課題】じゅんさいが自生出来る深さの容器に、澄んだ淡水を十分に確保出来、じゅんさいの若芽を容器の外から容易に立ち作業で摘み取ることが出来るじゅんさいの水耕栽培装置を提供する。【解決手段】深さ４５０ｍｍ以上、幅と長さが所定寸法の角型Ｕ字溝２を、地上に設置した所定の高さの架台１上に開放部分を上に向け、長手方向を地上面と平行に置き、Ｕ字溝の長手方向両端部に止水板３を設置し、Ｕ字溝底面に所要高さに盛られた養分混入土を敷き、その土にじゅんさい８をＵ字溝の長手方向に等間隔で植え、Ｕ字溝内に清水７を満杯に入れ、所要量の清水補給可能な清水満量のタンク４をＵ字溝近傍に設置し、タンク内のポンプと供給パイプ５と排出パイプ６を接続することによって、清水タンクとＵ字溝内の清水を循環させながらじゅんさいを栽培する。【選択図】図１
0003210414.tif 000002
【実用新案登録請求の範囲】
【請求項１】
深さ４５０ｍｍ以上、幅と長さが所定の寸法を要した角型Ｕ字溝を、地上に設置した所定の高さを要した架台上に開放部分を上に向け、長手方向に地上面と平行に置き、そのＵ字溝の長手方向側両端部に止水板を設置し、Ｕ字溝底面に所要高さに盛られた養分混入土を敷き、その土にじゅんさいをＵ字溝の長手方向に等間隔で植え、Ｕ字溝内に清水を満杯に入れ、Ｕ字溝近傍に設置され、所要の容量を要した清水補給可能な清水満量のタンク内のポンプ及び清水タンクとＵ字溝が供給パイプと排出パイプで接続されることによって、清水タンクとＵ字溝内の清水を循環させながらじゅんさいを栽培することを特徴とするじゅんさいの水耕栽培装置。
【請求項２】
前記じゅんさいの水耕栽培装置において、Ｕ字溝水面部分が人の腰高付近の高さにあり、Ｕ字溝長手方向に対して、直角方向Ｕ字溝外部両側に人が立ち、Ｕ字溝水面下にあるじゅんさい若芽を摘み取ることが出来ることを特徴とする請求項１記載のじゅんさいの水耕栽培装置。
【請求項３】
前記じゅんさいの水耕栽培装置において、Ｕ字溝底部に敷いたじゅんさいを植える土に養分を混入することにより、供給する水に養分を随時添加せず、且つ、長期間養分を補給しなくても良いことを特徴とする請求項１〜２記載のじゅんさいの水耕栽培装置。
【請求項４】
前記じゅんさいの水耕栽培装置の清水タンクとＵ字溝との接続排出パイプ内に交換可能なフィルターを設置し、Ｕ字溝内への遺物混入を防止することを特徴とする請求項１〜３項記載のじゅんさいの水耕栽培装置。
【請求項５】
前記じゅんさいの水耕栽培装置への清水供給を、地下水からポンプで汲み上げ、Ｕ字溝内に供給パイプを介して清水を供給し、Ｕ字溝から溢れ出た清水を地面の土中に流すことを特徴とする請求項１〜３記載のじゅんさいの水耕栽培装置。
【考案の詳細な説明】
【技術分野】
【０００１】  本考案は、じゅんさいの水耕栽培に関する。
【背景技術】
【０００２】  じゅんさいは、スイレン科の多年草で澄んだ淡水の湖沼に自生し、透明なゼリーに包まれた若芽を食用としている。現状のじゅんさいの若芽を摘み取る環境は、一日中箱形の小舟に乗って下を向いて、水面下にある一つ一つ若芽を摘み取るので、身体的にきつく、高齢化も伴い、年々人手不足に陥っているなど後継者不足、じゅんさいの収穫不足などの切実な問題が生じている。
【考案の概要】
【考案が解決しようとする課題】
【０００３】  本考案は、じゅんさいが自生出来るある程度の深さを要した容器に、澄んだ淡水が十分に確保出来、その容器の底部に養分土を敷き、その土にじゅんさいを植え、且つ、人の腰高位の高さにじゅんさい若芽の水面が来る様な水耕栽培装置を用意することにより、じゅんさいの若芽を容器の外から容易に立ち作業で摘み取ることが出来ることを目的とする。
【課題を解決するための手段】
【０００４】  上記課題を解決するため、本考案のじゅんさいの水耕栽培装置は、深さ４５０ｍｍ以上、幅と長さが所定の寸法を要した角型Ｕ字溝を、地上に設置した所定の高さを要した架台上に開放部分を上に向け、長手方向に地上面と平行に置き、そのＵ字溝の長手方向側両端部に止水板を設置し、Ｕ字溝底面に所要高さに盛られた養分混入土を敷き、その土にじゅんさい、Ｕ字溝の長手方向に等間隔で植え、Ｕ字溝内に清水を満杯に入れ、Ｕ字溝近傍に設置され、所要の容量の清水補給可能な清水満量のタンク内のポンプ及び清水タンクとＵ字溝が供給パイプと排出パイプで接続されることによって、清水タンクとＵ字溝内の清水を循環させながらじゅんさいを栽培することを特徴とする。【０００５】  前期水耕栽培装置は、Ｕ字溝水面部分が人の腰高付近の高さにあり、Ｕ字溝長手方向に対して、直角方向Ｕ字溝外部両側に人が立ち、Ｕ字溝水面下にあるじゅんさい若芽を摘み取ることが出来る。【０００６】  更に、前記水耕栽培装置は、Ｕ字溝底部に敷いたじゅんさいを植える土に養分を混入することにより、供給する水に養分を随時添加せず、且つ、長期間養分を補給しなくても良い。【０００７】  又、前記水耕栽培装置の清水タンクとＵ字溝内との接続排出パイプ内に交換可能なフィルターを設置し、Ｕ字溝内への異物混入を防止する。【０００８】  もしくは、水耕栽培装置への清水供給を、地下水からポンプで汲み上げ、Ｕ字溝内に供給パイプを介して清水を供給し、Ｕ字溝から溢れ出た清水を地面の土中に流す方法も出来る。
【考案の効果】
【０００９】  本考案によれば、立ち作業で、尚且つ楽な姿勢で、老若男女問わず、じゅんさいの若芽を流れ作業的に摘み取ることが出来るので、じゅんさい若芽の摘み取り人の人手不足も解消され、じゅんさいの収穫効率も上がるので、じゅんさいの市場拡大にもつながる。
【図面の簡単な説明】
【００１０】
【図１】じゅんさいの水耕栽培装置の一つの実施の形態を示す概略斜視図である。
【図２】じゅんさいの水耕栽培装置の一つの実施の形態を示す概略設置断面図である。
【図３】じゅんさいの水耕栽培装置の一つの実施の形態を示す地下水利用の概略設置断面図である。
【図４】じゅんさいの水耕栽培装置の一つの実施の形態を示すじゅんさい若芽を摘み取る状態を示す概略正面断面図である。
【考案を実施するための形態】
【００１１】  以下、図面に基づいて本考案の説明をするが、本実施例は一つの形態を示した物で、本考案の請求項から逸脱していなければ、多様な対応の実施を行う事も出来る。
【００１２】  図１は、所定の高さの架台１の上に、深さ４５０ｍｍ以上、幅と長さが所定の寸法を要した長手方向側両端部を止水板３を設けたＵ字溝２を設置した状態を示したものである。Ｕ字溝２の近傍には、清水タンク４が設置され、清水タンク４の上面からは、それぞれ、供給パイプ５、排出パイプ６が伸び、それぞれＵ字溝２の止水板３に接続されている。Ｕ字溝２内には、清水７が満杯に近い状態で入っており、その中にじゅんさい８が栽培されている。
【００１３】  図２は、じゅんさいの栽培と清水の循環状態を示したものである。図の説明上、排出パイプ６が、Ｕ字溝２の上方を通っている様に示しているが、実際は、図１のようにＵ字溝２の横を通っている。架台１の設置面と清水タンク４の設置面は、同一地面１１上に設置している。Ｕ字溝２の底部には、所要の高さに盛られた養分土９が敷かれ、Ｕ字溝２の長手方向に等間隔でじゅんさい８が植えられている。Ｕ字溝２内に満杯に入れられた清水７の水面下にはじゅんさいの若芽８ａがある。清水タンク４の内部には、満量に入った清水７と循環ポンプ１０があり、循環ポンプ１０には、供給パイプ５が接続されている。前記の通り、Ｕ字溝２の止水板３に接続された供給パイプ５、排水パイプ６、循環ポンプ１０により、矢印５ａ、６ａに示す様に、清水タンク７、Ｕ字溝２間を清水７が循環する。尚、循環する清水７が自然蒸発し、必要量が足りなくなった場合、清水タンク４の上面に付いているフタ４ａを開けて清水７を清水タンク４内へ所要量を補充する。
【００１４】  又、排水パイプ６の任意位置に、フィルター６ｂを設ける事によって、循環する清水タンク４内への異物混入を防止することも出来る。
【００１５】  水耕栽培装置の設置環境によって、近傍に地下水施設がある場合は、図３に示すように、地下水ポンプ１０ａに地下水パイプ５ｂを接続する事により、矢印５ｃに示すように地下水ポンプ１０ａからＵ字溝２内へ地下水７ａを供給し、矢印６ｃに示すようにＵ字溝２から地下水７ａが溢れ出し、土中に流す。この様に、新鮮な水をじゅんさい８に与えて栽培する。ただし、この場合、常に地下水を供給するのではなく、任意に地下水ポンプ１０ａを稼動させて、地下水７ａをＵ字溝２内へ供給する。この方法では、清水タンク７、循環ポンプ１０、排出パイプ６、フィルター６ｂが不要となり、設置コスト、ランニングコストが低減される。
【００１６】  以上の説明した実施例により、図４に示すようにじゅんさい若芽摘み取り人１２が、Ｕ字溝２の外部両側に立ちながら、じゅんさい若芽８ａを容易に摘み取ることが出来る。
【産業上の利用可能性】
【００１７】  本考案のじゅんさいの水耕栽培装置は、Ｕ字溝を何台も長手方向に連結することにより、大規模なじゅんさい水耕栽培を行うことが出来る。逆に全体的にコンパクト化することにより、一般家庭でも使用することが出来る。
【符号の説明】１      架台
２      Ｕ字溝
３      止水板
４      清水タンク
４ａ    フタ
５      供給パイプ
５ａ    矢印
５ｂ    地下水パイプ
５ｃ    矢印
６      排出パイプ
６ａ    矢印
６ｃ    矢印
７      清水
７ａ    地下水
８      じゅんさい
８ａ    じゅんさい若芽
９      養分土
１０    循環ポンプ
１０ａ  地下水ポンプ
１１    地面
１２    摘み取り人
【図１】
0003210414.tif 000003
【図２】
0003210414.tif 000004
【図３】
0003210414.tif 000005
【図４】
0003210414.tif 000006
【手続補正書】
【提出日】平成29年2月21日(2017.2.21)
【手続補正１】
【補正対象書類名】実用新案登録請求の範囲
【補正対象項目名】請求項３
【補正方法】変更
【補正の内容】
【請求項３】
前記じゅんさいの水耕栽培装置において、Ｕ字溝底部に敷いたじゅんさいを植える土に養分を混入することにより、供給する水に養分を随時添加せず、且つ、長期間養分を補給しなくても良いことを特徴とする請求項１〜２のいずれか１項に記載のじゅんさいの水耕栽培装置。
【手続補正２】
【補正対象書類名】実用新案登録請求の範囲
【補正対象項目名】請求項４
【補正方法】変更
【補正の内容】
【請求項４】
前記じゅんさいの水耕栽培装置の清水タンクとＵ字溝との接続排出パイプ内に交換可能なフィルターを設置し、Ｕ字溝内への異物混入を防止することを特徴とする請求項１〜３のいずれか１項に記載のじゅんさいの水耕栽培装置。
【手続補正３】
【補正対象書類名】実用新案登録請求の範囲
【補正対象項目名】請求項５
【補正方法】変更
【補正の内容】
【請求項５】
前記じゅんさいの水耕栽培装置への清水供給を、地下水からポンプで汲み上げ、Ｕ字溝内に供給パイプを介して清水を供給し、Ｕ字溝から溢れ出た清水を地面の土中に流すことを特徴とする請求項１〜３のいずれか１項に記載のじゅんさいの水耕栽培装置。